(57)【要約】【課題】曲げ加工により天板を製造した場合に天板に生じる隙間をなくして消火器格納箱内への雨水の侵入等を防止する。【解決手段】天板４の前後左右の各辺に垂設した各垂下部４ａ・４ｂ・４ｃ・４ｄと同天板４とをそれぞれ円弧板部４１・４２・４３・４４を介して連続させて一体に形成する。各垂下部４ａ・４ｂ・４ｃ・４ｄのうち、隣り合う垂下部同士を、それぞれ円弧板部４６・４７・４８・４９を介して連続させて一体に形成する。さらに、各頂部１１・１２・１３・１４において集合する垂下部と天板４と円弧板部とを、部分球殻を介して連続させて一体に形成する。【選択図】  図１
2004159874.tif 000002
【特許請求の範囲】
【請求項１】
略六面体形状の板金製の消火器格納箱であって、
左右の側板（２１）・（２２）と、背板（２３）と、消火器を出し入れする正面開口部（２４）とを備えた格納箱本体（２）と、
上記格納箱本体（２）の正面開口部（２４）に開閉自在に取り付けられた扉体（３）と、
上記格納箱本体（２）の上部を塞ぐべく格納箱本体（２）に外嵌して固定された天板（４）と、
上記格納箱本体（２）の下部を塞ぐべく格納箱本体（２）に固定された底板（５）と、
を備え、
上記天板（４）が前下がりまたは後下がりに傾斜した、板金製の消火器格納箱において、
上記天板（４）の前後左右の各辺にそれぞれ垂下部（４ａ）・（４ｂ）・（４ｃ）・（４ｄ）を垂設し、
上記前側垂下部（４ａ）と天板（４）とを前側円弧板部（４１）を介して連続させて一体に形成し、
上記後側垂下部（４ｂ）と天板（４）とを後側円弧板部（４２）を介して連続させて一体に形成し、
上記左側垂下部（４ｃ）と天板（４）とを左側円弧板部（４３）を介して連続させて一体に形成し、
上記右側垂下部（４ｄ）と天板（４）とを右側円弧板部（４４）を介して連続させて一体に形成し、
上記の右側垂下部（４ｄ）と前側垂下部（４ａ）とを右前側円弧板部（４６）を介して連続させて一体に形成し、
上記の右側垂下部（４ｄ）と後側垂下部（４ｂ）とを右後側円弧板部（４７）を介して連続させて一体に形成し、
上記の左側垂下部（４ｃ）と前側垂下部（４ａ）とを左前側円弧板部（４８）を介して連続させて一体に形成し、
上記の左側垂下部（４ｃ）と後側垂下部（４ｂ）とを左後側円弧板部（４９）を介して連続させて一体に形成し、
上記前側垂下部（４ａ）・右側垂下部（４ｄ）・天板（４）・前側円弧板部（４１）・右側円弧板部（４４）および右前側円弧板部（４６）を、これらが集合する右前側頂部（１１）において部分球殻を介して連続させて一体に形成し、
上記前側垂下部（４ａ）・左側垂下部（４ｃ）・天板（４）・前側円弧板部（４１）・左側円弧板部（４３）および左前側円弧板部（４８）を、これらが集合する左前側頂部（１２）において部分球殻を介して連続させて一体に形成し、
上記後側垂下部（４ｂ）・右側垂下部（４ｄ）・天板（４）・後側円弧板部（４２）・右側円弧板部（４４）および右後側円弧板部（４７）を、これらが集合する右後側頂部（１３）において部分球殻を介して連続させて一体に形成し、
上記後側垂下部（４ｂ）・左側垂下部（４ｃ）・天板（４）・後側円弧板部（４２）・左側円弧板部（４３）および左後側円弧板部（４９）を、これらが集合する左後側頂部（１４）において部分球殻を介して連続させて一体に形成した、
ことを特徴とする板金製の消火器格納箱。
【請求項２】
請求項１に記載の板金製の消火器格納箱において、
前記天板（４）の前後左右の各垂下部（４ａ）・（４ｂ）・（４ｃ）・（４ｄ）の下縁（３４）・（３５）・（３６）・（３７）をほぼ同一水平面上に位置するように形成し、
前記格納箱本体（２）の左右の各側板（２１）・（２２）の上縁（２１ａ）・（２２ａ）と背板（２３）の上縁（２３ａ）とをほぼ同一水平面上に位置するように形成した、
ことを特徴とする板金製の消火器格納箱。
【請求項３】
請求項１または２に記載の板金製の消火器格納箱において、
前記底板（５）の前後左右の各辺にそれぞれ起立部（５ａ）・（５ｂ）・（５ｃ）・（５ｄ）を立設し、
上記前側起立部（５ａ）と底板（５）とを前側円弧板部（５１）を介して連続させて一体に形成し、
上記後側起立部（５ｂ）と底板（５）とを後側円弧板部（５２）を介して連続させて一体に形成し、
上記左側起立部（５ｃ）と底板（５）とを左側円弧板部（５３）を介して連続させて一体に形成し、
上記右側起立部（５ｄ）と底板（５）とを右側円弧板部（５４）を介して連続させて一体に形成し、
上記の右側起立部（５ｄ）と前側起立部（５ａ）とを右前側円弧板部（５６）を介して連続させて一体に形成し、
上記の右側起立部（５ｄ）と後側起立部（５ｂ）とを右後側円弧板部（５７）を介して連続させて一体に形成し、
上記の左側起立部（５ｃ）と前側起立部（５ａ）とを左前側円弧板部（５８）を介して連続させて一体に形成し、
上記の左側起立部（５ｃ）と後側起立部（５ｂ）とを左後側円弧板部（５９）を介して連続させて一体に形成し、
上記前側起立部（５ａ）・右側起立部（５ｄ）・底板（５）・前側円弧板部（５１）・右側円弧板部（５４）および右前側円弧板部（５６）を、これらが集合する右前側頂部（１５）において部分球殻を介して連続させて一体に形成し、
上記前側起立部（５ａ）・左側起立部（５ｃ）・底板（５）・前側円弧板部（５１）・左側円弧板部（５３）および左前側円弧板部（５８）を、これらが集合する左前側頂部（１６）において部分球殻を介して連続させて一体に形成し、
上記後側起立部（５ｂ）・右側起立部（５ｄ）・底板（５）・後側円弧板部（５２）・右側円弧板部（５４）および右後側円弧板部（５７）を、これらが集合する右後側頂部（１７）において部分球殻を介して連続させて一体に形成し、
上記後側起立部（５ｂ）・左側起立部（５ｃ）・底板（５）・後側円弧板部（５２）・左側円弧板部（５３）および左後側円弧板部（５９）を、これらが集合する左後側頂部（１８）において部分球殻を介して連続させて一体に形成し、
上記底板（５）を前記格納箱本体（２）に内嵌して固定するとともに、左右の側板（２１）・（２２）の下縁（２１ｂ）・（２２ｂ）と背板（２３）の下縁（２３ｂ）とが上記底板（５）の接地面（６５）よりも上方に位置するようにした、
ことを特徴とする板金製の消火器格納箱。
【請求項４】
請求項１から３のいずれかに記載の板金製の消火器格納箱において、
前記底板（５）に消火器を載置する台座部（６１）を上げ底状に一体に形成するとともに、その台座部（６１）の周囲に溝部（６２）を形成し、
この溝部（６２）に水抜き孔（６３）を設けた、
ことを特徴とする板金製の消火器格納箱。
【発明の詳細な説明】
【０００１】
【発明の属する技術分野】
本発明は、略六面体形状の板金製の消火器格納箱に関する。
【０００２】
【従来の技術】
この種の従来技術として、例えば、図７および図８に記載されたものがある。この従来技術に係る消火器格納箱１０１は、略六面体形状の板金製の消火器格納箱であって、左右の側板１２１・１２２と、背板１２３と、消火器を出し入れする正面開口部とを備えた格納箱本体１０２と、上記格納箱本体１０２の正面開口部に開閉自在に取り付けられた扉体１０３と、上記格納箱本体１０２の上部を塞ぐべく格納箱本体１０２に外嵌して溶接された天板１０４と、上記格納箱本体１０２の下部を塞ぐべく格納箱本体１０２に溶接された底板１０５とを備えている。また、雨水等を流下させるべく天板１０４を前下がりに傾斜させている。
【０００３】
かかる従来の消火器格納箱１０１は、製造コストを下げるため、格納箱本体１０２はもちろん天板１０４や底板１０５も、鉄板製のブランクやステンレス製のブランクから曲げ加工により製造しており、かかる構成は２０数年変わるところがなかった。
【０００４】
【特許文献１】
登録実用新案第３０３１３１５号公報
【特許文献２】
特開平０７−０３９６０１号公報
【０００５】
【発明が解決しようとする課題】
しかし、天板１０４を曲げ加工により製造した場合には、図８に示すように、隣接する曲げしろと曲げしろとの間に隙間１０７ができるという問題があった。このような隙間１０７は、見た目の印象が悪いだけでなく、ここから雨水等の侵入を招いて錆や腐蝕の原因となっていた。
【０００６】
また、曲げ加工により天板１０４を製造した場合、天板１０４の稜線部や頂部が尖った形状となるため、消火器格納箱１０１を手で持ち運ぶ際に、手袋の繊維が引っ掛かったり、手に馴染みにくいという問題もあった。
【０００７】
さらに、天板１０４を曲げ加工により製造した場合、同天板１０４を前下がりに傾斜させて格納箱本体１０２に溶接するには、図８に示すように、溶接しろを確保する必要性から、格納箱本体１０２の左右の側板１２１・１２２の上縁（図７では右側板１２２の上縁１２２ａ）にも天板１０４とほぼ同じ角度の傾斜をつけておく必要があった。このため、格納箱本体１０２用のブランクを打抜く際に、せん断加工によって生じるロスが多くなるという問題があった。
【０００８】
一方、かかる課題を解決するものとして合成樹脂製の消火器格納箱も存在する（特許文献１参照）。しかし、合成樹脂製の消火器格納箱は、そりや退色等の経年劣化が激しいという問題があり、また、製造コストの面でも板金製のものに劣っていた。さらに、焼却の際にダイオキシンが発生するという問題もあった。
【０００９】
【課題を解決するための手段】
上記課題を解決するべく、請求項１に記載の発明は、略六面体形状の板金製の消火器格納箱であって、左右の側板（２１）・（２２）と、背板（２３）と、消火器を出し入れする正面開口部（２４）とを備えた格納箱本体（２）と、上記格納箱本体（２）の正面開口部（２４）に開閉自在に取り付けられた扉体（３）と、上記格納箱本体（２）の上部を塞ぐべく格納箱本体（２）に外嵌して固定された天板（４）と、上記格納箱本体（２）の下部を塞ぐべく格納箱本体（２）に固定された底板（５）と、を備え、上記天板（４）が前下がりまたは後下がりに傾斜した、板金製の消火器格納箱において、次のように構成したことを特徴とする。
【００１０】
すなわち、上記天板（４）の前後左右の各辺にそれぞれ垂下部（４ａ）・（４ｂ）・（４ｃ）・（４ｄ）を垂設する。そして、上記前側垂下部（４ａ）と天板（４）とを前側円弧板部（４１）を介して連続させて一体に形成する。上記後側垂下部（４ｂ）と天板（４）とを後側円弧板部（４２）を介して連続させて一体に形成する。上記左側垂下部（４ｃ）と天板（４）とを左側円弧板部（４３）を介して連続させて一体に形成する。上記右側垂下部（４ｄ）と天板（４）とを右側円弧板部（４４）を介して連続させて一体に形成する。
【００１１】
また、上記の右側垂下部（４ｄ）と前側垂下部（４ａ）とを右前側円弧板部（４６）を介して連続させて一体に形成する。上記の右側垂下部（４ｄ）と後側垂下部（４ｂ）とを右後側円弧板部（４７）を介して連続させて一体に形成する。上記の左側垂下部（４ｃ）と前側垂下部（４ａ）とを左前側円弧板部（４８）を介して連続させて一体に形成する。上記の左側垂下部（４ｃ）と後側垂下部（４ｂ）とを左後側円弧板部（４９）を介して連続させて一体に形成する。
【００１２】
さらに、上記前側垂下部（４ａ）・右側垂下部（４ｄ）・天板（４）・前側円弧板部（４１）・右側円弧板部（４４）および右前側円弧板部（４６）を、これらが集合する右前側頂部（１１）において部分球殻を介して連続させて一体に形成する。上記前側垂下部（４ａ）・左側垂下部（４ｃ）・天板（４）・前側円弧板部（４１）・左側円弧板部（４３）および左前側円弧板部（４８）を、これらが集合する左前側頂部（１２）において部分球殻を介して連続させて一体に形成する。上記後側垂下部（４ｂ）・右側垂下部（４ｄ）・天板（４）・後側円弧板部（４２）・右側円弧板部（４４）および右後側円弧板部（４７）を、これらが集合する右後側頂部（１３）において部分球殻を介して連続させて一体に形成する。上記後側垂下部（４ｂ）・左側垂下部（４ｃ）・天板（４）・後側円弧板部（４２）・左側円弧板部（４３）および左後側円弧板部（４９）を、これらが集合する左後側頂部（１４）において部分球殻を介して連続させて一体に形成する。
【００１３】
請求項２に記載の発明は、請求項１に記載の板金製の消火器格納箱において、前記天板（４）の前後左右の各垂下部（４ａ）・（４ｂ）・（４ｃ）・（４ｄ）の下縁（３４）・（３５）・（３６）・（３７）をほぼ同一水平面上に位置するように形成し、
前記格納箱本体（２）の左右の各側板（２１）・（２２）の上縁（２１ａ）・（２２ａ）と背板（２３）の上縁（２３ａ）とをほぼ同一水平面上に位置するように形成した、ことを特徴とする。
【００１４】
請求項３に記載の発明は、請求項１または２に記載の板金製の消火器格納箱において、以下のように構成したことを特徴とする。
すなわち、前記底板（５）の前後左右の各辺にそれぞれ起立部（５ａ）・（５ｂ）・（５ｃ）・（５ｄ）を立設する。そして、上記前側起立部（５ａ）と底板（５）とを前側円弧板部（５１）を介して連続させて一体に形成する。上記後側起立部（５ｂ）と底板（５）とを後側円弧板部（５２）を介して連続させて一体に形成する。上記左側起立部（５ｃ）と底板（５）とを左側円弧板部（５３）を介して連続させて一体に形成する。上記右側起立部（５ｄ）と底板（５）とを右側円弧板部（５４）を介して連続させて一体に形成する。
【００１５】
また、上記の右側起立部（５ｄ）と前側起立部（５ａ）とを右前側円弧板部（５６）を介して連続させて一体に形成する。上記の右側起立部（５ｄ）と後側起立部（５ｂ）とを右後側円弧板部（５７）を介して連続させて一体に形成する。上記の左側起立部（５ｃ）と前側起立部（５ａ）とを左前側円弧板部（５８）を介して連続させて一体に形成する。上記の左側起立部（５ｃ）と後側起立部（５ｂ）とを左後側円弧板部（５９）を介して連続させて一体に形成する。
【００１６】
さらに、上記前側起立部（５ａ）・右側起立部（５ｄ）・底板（５）・前側円弧板部（５１）・右側円弧板部（５４）および右前側円弧板部（５６）を、これらが集合する右前側頂部（１５）において部分球殻を介して連続させて一体に形成する。上記前側起立部（５ａ）・左側起立部（５ｃ）・底板（５）・前側円弧板部（５１）・左側円弧板部（５３）および左前側円弧板部（５８）を、これらが集合する左前側頂部（１６）において部分球殻を介して連続させて一体に形成する。上記後側起立部（５ｂ）・右側起立部（５ｄ）・底板（５）・後側円弧板部（５２）・右側円弧板部（５４）および右後側円弧板部（５７）を、これらが集合する右後側頂部（１７）において部分球殻を介して連続させて一体に形成する。上記後側起立部（５ｂ）・左側起立部（５ｃ）・底板（５）・後側円弧板部（５２）・左側円弧板部（５３）および左後側円弧板部（５９）を、これらが集合する左後側頂部（１８）において部分球殻を介して連続させて一体に形成する。そして、上記底板（５）を前記格納箱本体（２）に内嵌して固定するとともに、左右の側板（２１）・（２２）の下縁（２１ｂ）・（２２ｂ）と背板（２３）の下縁（２３ｂ）とが上記底板（５）の接地面（６５）よりも上方に位置するようにする。
【００１７】
請求項４に記載の発明は、請求項１から３のいずれかに記載の板金製の消火器格納箱において、
前記底板（５）に消火器を載置する台座部（６１）を上げ底状に一体に形成するとともに、その台座部（６１）の周囲に溝部（６２）を形成し、
この溝部（６２）に水抜き孔（６３）を設けた、ことを特徴とする。
【００１８】
【発明の作用効果】
（請求項１の発明）
▲１▼天板（４）の稜線部や頂部に丸みをもたせることができるので、消火器格納箱を持ち運ぶ際、作業者の手に馴染みやすく、持ち運び作業が容易になる。また、手袋等の繊維が引っ掛かるおそれもない。
【００１９】
▲２▼本発明の天板（４）には、曲げ加工によって形成したときのような隙間ができないので雨水等が消火器格納箱内に侵入することを防止することができる。このため、消火器格納箱の外観が改善されるだけでなく、錆や腐蝕を防止することができる。
【００２０】
（請求項２の発明）
▲３▼天板（４）の前後左右の各垂下部（４ａ）・（４ｂ）・（４ｃ）・（４ｄ）の下縁（３４）・（３５）・（３６）・（３７）をほぼ同一水平面上に位置するように形成するとともに、格納箱本体（２）の左右の各側板（２１）・（２２）の上縁（２１ａ）・（２２ａ）と背板（２３）の上縁（２３ａ）とをほぼ同一水平面上に位置するように形成したので、格納箱本体（２）用のブランクをせん断加工する際に生じるロスを少なくすることができる。これにより、歩留りを向上させ、消火器格納箱全体の材料費を節約することができる。
（請求項３の発明）
▲４▼天板（４）だけでなく底板（５）の各頂部にも丸みをもたせることができるので、消火器格納箱の持ち運びの際に手に馴染む個所が増え、さらに持ち運び作業が容易になる。
【００２１】
（請求項４の発明）
▲５▼底板（５）に消火器を載置する台座部（６１）を上げ底状に形成したので、底板（５）の剛性が増し、底板（５）が平らな場合よりも重い消火器を載せることができる。
【００２２】
▲６▼台座部（６１）の周囲に溝部（６２）を形成し、この溝部（６２）に水抜き孔（６３）を形成したので、たとえ格納箱内部に雨水等が侵入したとしても、上げ底状に形成された台座部（６１）に水が溜まる心配はなく、雨水等は、その周囲に形成された、台座部（６１）よりも低い位置にある溝部（６２）に流れ落ち、さらに水抜き孔（６３）から格納箱外部に排出されることになる。このため、消火器本体を錆や腐蝕から守ることができる。
【００２３】
【発明の実施の形態】
以下、本発明の実施形態について図面に基づいて説明する。図１（Ａ）は本発明の実施形態に係る消火器格納箱の前方左斜め上方からみた斜視図、図１（Ｂ）は図１（Ａ）において同消火器格納箱の扉体を開放した状態を示す斜視図、図２は上記消火器格納箱の前方左斜め下方からみた斜視図、図３（Ａ）は上記消火器格納箱の正面図、図３（Ｂ）はその平面図、図３（Ｃ）はその底面図、図３（Ｄ）はその左側面図、図４（Ａ）はその右側面図、図４（Ｂ）はその背面図、図５（Ａ）は上記消火器格納箱の天板の平面図、図５（Ｂ）はその側面図、図６（Ａ）は同消火器格納箱の底板の平面図、図６（Ｂ）はその側面図である。
【００２４】
図１に示すように、本発明の実施形態に係る消火器格納箱１は、略六面体形状をしており、格納箱本体２と扉体３と天板４と底板５とを備える。
【００２５】
格納箱本体２は板金製のブランクから曲げ加工によって形成され、左右の側板２１・２２と背板２３と、消火器を出し入れする正面開口部２４とを備える。図３（Ａ）・図３（Ｄ）・図４（Ａ）・図４（Ｂ）に示すように、格納箱本体２の左右の各側板２１・２２の上縁２１ａ・２２ａと背板２３の上縁２３ａとは、ほぼ同一水平面上に位置するように形成されている。背板２３には、消火器格納箱１を図示しない壁等に係止するための係止孔２６が穿設されている。この格納箱本体の四つの稜線部２７にはそれぞれ丸みがつけられている。なお、板金の材料としては、鉄板製またはステンレス製が好ましい。
【００２６】
扉体３も板金でできており、格納箱本体２の正面開口部２４に蝶番３１によって開閉自在に取り付けられる。この扉体３にはＡＢＳ樹脂製またはアルミ製の把手部３２が設けられている。この扉体３は、図示しない係止機構によって格納箱本体２に係止するようになっており、扉体３を閉じたときに不用意に扉体３が開かないようになっている。
【００２７】
天板４は、板金製のブランクから絞り加工によって形成され、格納箱本体２に取り付けたときに前下がりに傾斜するようになっている。この天板４の前後左右の各辺にはそれぞれ垂下部４ａ・４ｂ・４ｃ・４ｄが形成されている。
【００２８】
これら前後左右の垂下部４ａ・４ｂ・４ｃ・４ｄのうち、前側垂下部４ａと天板４とは前側円弧板部４１を介して連続させて一体に形成される。後側垂下部４ｂと天板４とは後側円弧板部４２を介して連続させて一体に形成される。左側垂下部４ｃと天板４とは左側円弧板部４３を介して連続させて一体に形成される。右側垂下部４ｄと天板４とは右側円弧板部４４を介して連続させて一体に形成される。
【００２９】
また、右側垂下部４ｄと前側垂下部４ａとは右前側円弧板部４６を介して連続させて一体に形成される。右側垂下部４ｄと後側垂下部４ｂとは右後側円弧板部４７を介して連続させて一体に形成される。左側垂下部４ｃと前側垂下部４ａとは左前側円弧板部４８を介して連続させて一体に形成される。左側垂下部４ｃと後側垂下部４ｂとは左後側円弧板部４９を介して連続させて一体に形成される。
【００３０】
さらに、前側垂下部４ａ・右側垂下部４ｄ・天板４・前側円弧板部４１・右側円弧板部４４および右前側円弧板部４６は、これらが集合する右前側頂部１１において部分球殻を介して連続させて一体に形成される。前側垂下部４ａ・左側垂下部４ｃ・天板４・前側円弧板部４１・左側円弧板部４３および左前側円弧板部４８は、これらが集合する左前側頂部１２において部分球殻を介して連続させて一体に形成される。後側垂下部４ｂ・右側垂下部４ｄ・天板４・後側円弧板部４２・右側円弧板部４４および右後側円弧板部４７は、これらが集合する右後側頂部１３において部分球殻を介して連続させて一体に形成される。後側垂下部４ｂ・左側垂下部４ｃ・天板４・後側円弧板部４２・左側円弧板部４３および左後側円弧板部４９は、これらが集合する左後側頂部１４において部分球殻を介して連続させて一体に形成される。
【００３１】
このように構成される結果、天板４の稜線部や頂部に丸みをもたせることができ、消火器格納箱１を持ち運ぶ際、作業者の手に馴染みやすく、持ち運び作業が容易になる。また、手袋等の繊維が引っ掛かるおそれもない。さらに、曲げ加工によって形成したときのような隙間が天板４にできないので雨水等の侵入を防止することができる。このため、消火器格納箱１の外観が改善されるだけでなく、錆や腐蝕を防止することができる。なお、図５中、符合６６は、天板４を格納箱本体２に取り付けたときに正面開口部２４の上縁を形成する鍔部である。
【００３２】
かかる天板４は、格納箱本体２の上部を塞ぐべく格納箱本体２に外嵌したうえで溶接して固定される。また、天板４の前後左右の各垂下部４ａ・４ｂ・４ｃ・４ｄの下縁３４・３５・３６・３７は、ほぼ同一水平面上に位置するように形成されている。このため、格納箱本体２の左右の各側板２１・２２の上縁２１ａ・２２ａと背板２３の上縁２３ａとをほぼ同一水平面上に位置するように形成したことと相俟って、格納箱本体２用のブランクをせん断加工する際に生じるロスを少なくすることができ、消火器格納箱１全体の材料費を節約することができる。
【００３３】
底板５は、板金製のブランクから絞り加工によって形成される。この底板５の前後左右の各辺にはそれぞれ起立部５ａ・５ｂ・５ｃ・５ｄが立設されている。
【００３４】
これら前後左右の起立部５ａ・５ｂ・５ｃ・５ｄのうち、前側起立部５ａと底板５とは前側円弧板部５１を介して連続させて一体に形成される。後側起立部５ｂと底板５とは後側円弧板部５２を介して連続させて一体に形成される。左側起立部５ｃと底板５とは左側円弧板部５３を介して連続させて一体に形成される。右側起立部５ｄと底板５とは右側円弧板部５４を介して連続させて一体に形成される。
【００３５】
また、右側起立部５ｄと前側起立部５ａとは右前側円弧板部５６を介して連続させて一体に形成される。右側起立部５ｄと後側起立部５ｂとは右後側円弧板部５７を介して連続させて一体に形成される。左側起立部５ｃと前側起立部５ａとは左前側円弧板部５８を介して連続させて一体に形成される。左側起立部５ｃと後側起立部５ｂとは左後側円弧板部５９を介して連続させて一体に形成される。
【００３６】
さらに、前側起立部５ａ・右側起立部５ｄ・底板５・前側円弧板部５１・右側円弧板部５４および右前側円弧板部５６は、これらが集合する右前側頂部１５において部分球殻を介して連続させて一体に形成される。前側起立部５ａ・左側起立部５ｃ・底板５・前側円弧板部５１・左側円弧板部５３および左前側円弧板部５８は、これらが集合する左前側頂部１６において部分球殻を介して連続させて一体に形成される。後側起立部５ｂ・右側起立部５ｄ・底板５・後側円弧板部５２・右側円弧板部５４および右後側円弧板部５７は、これらが集合する右後側頂部１７において部分球殻を介して連続させて一体に形成される。後側起立部５ｂ・左側起立部５ｃ・底板５・後側円弧板部５２・左側円弧板部５３および左後側円弧板部５９は、これらが集合する左後側頂部１８において部分球殻を介して連続させて一体に形成される。そして、この底板５は、格納箱本体２の下部を塞ぐべく格納箱本体２に内嵌したうえで溶接により固定される。その際、左右の側板２１・２２の下縁２１ｂ・２２ｂと背板２３の下縁２３ｂとが上記底板５の接地面６５よりも上方に位置するようにして、同底板５の各頂部１５・１６・１７・１８の部分球殻が外部に露出するようにしてある。
【００３７】
かかる構成により、天板４だけでなく底板５の各頂部にも丸みをもたせることができ、消火器格納箱１の持ち運びの際に手に馴染む個所が増え、持ち運び作業が容易になる。なお、図１（Ｂ）及び図６（Ａ）・（Ｂ）中の符合６７は、底板５を格納箱本体２に取り付けたときに正面開口部２４の下縁を形成する鍔部である。
【００３８】
上記底板５には、また、消火器を載置する台座部６１が上げ底状に一体に形成されている。この台座部６１の周囲には溝部６２が形成され、この溝部６２には水抜き孔６３が形成されている。本実施形態では水抜き孔６３が２つ設けられている。また、この底板５には、消火器格納箱１を図示しない架台に取り付けるためのビスを挿通させるビス挿通孔６４が形成されている。
【００３９】
本実施形態ではこのように底板５に消火器を載置する台座部６１を上げ底状に形成したので、消火器用の台座を別部品として用意する必要はない。また、底板５の剛性が増すため、平らな底板の場合よりも重い消火器を載せることができる。さらに、台座部６１の周囲に溝部６２を形成し、この溝部６２に水抜き孔６３を形成したので、たとえ格納箱内部に雨水等が侵入したとしても、上げ底状に形成された台座部６１に水が溜まる心配はなく、それよりも低い溝部６２に流れ落ち、さらに水抜き孔６３から格納箱外部に排出されることになる。このため、消火器自体を錆や腐蝕から守ることができる。
【００４０】
以上、本発明の実施形態について説明したが、本発明は上記実施形態に限定されるものではない。例えば、上記実施形態において、扉体に窓部を設け、消火器が格納されているか否かを外部から確認できるようにしてもよい。さらに、扉体の開閉方向は上記実施形態のものに限定されるものではない。
【図面の簡単な説明】
【図１】図１（Ａ）は本発明の実施形態に係る消火器格納箱の前方左斜め上方からみた斜視図、図１（Ｂ）は図１（Ａ）において同消火器格納箱の扉体を開放した状態を示す斜視図。
【図２】図２は上記消火器格納箱の前方左斜め下方からみた斜視図。
【図３】図３（Ａ）は本発明の実施形態に係る消火器格納箱の正面図、図３（Ｂ）はその平面図、図３（Ｃ）はその底面図、図３（Ｄ）はその左側面図。
【図４】図４（Ａ）は上記消火器格納箱の右側面図、図４（Ｂ）はその背面図。
【図５】図５（Ａ）は本発明の実施形態に係る消火器格納箱の天板の平面図、図５（Ｂ）はその側面図。
【図６】図６（Ａ）は本発明の実施形態に係る消火器格納箱の底板の平面図、図６（Ｂ）はその側面図。
【図７】図７（Ａ）は従来技術に係る消火器格納箱の正面図、図７（Ｂ）はその右側面図、図７（Ｃ）はその底面図。
【図８】図８は、従来技術に係る消火器格納箱の天板付近の分解図である。
【符号の説明】
２…格納箱本体、３…扉体、４…天板、４ａ…天板の前側垂下部、４ｂ…天板の後側垂下部、４ｃ…天板の左側垂下部、４ｄ…天板の右側垂下部、５…底板、５ａ…底板の前側起立部、５ｂ…底板の後側起立部、５ｃ…底板の左側起立部、５ｄ…底板の右側起立部、１１…天板の右前側頂部、１２…天板の左前側頂部、１３…天板の右後側頂部、１４…天板の左後側頂部、１５…底板の右前側頂部、１６…底板の左前側頂部、１７…底板の右後側頂部、１８…底板の左後側頂部、２１…左側板、２１ａ…左側板の上縁、２１ｂ…左側板の下縁、２２…右側板、２２ａ…右側板の上縁、２２ｂ…右側板の下縁、２３…背板、２３ａ…背板の上縁、２３ｂ…背板の下縁、２４…正面開口部、３４…天板の前側垂下部の下縁、３５…天板の後側垂下部の下縁、３６…天板の左側垂下部の下縁、３７…天板の右側垂下部の下縁、４１…天板の前側円弧板部、４２…天板の後側円弧板部、４３…天板の左側円弧板部、４４…天板の右側円弧板部、４６…天板の右前側円弧板部、４７…天板の右後側円弧板部、４８…天板の左前側円弧板部、４９…天板の左後側円弧板部、５１…底板の前側円弧板部、５２…底板の後側円弧板部、５３…底板の左側円弧板部、５４…底板の右側円弧板部、５６…底板の右前側円弧板部、５７…底板の右後側円弧板部、５８…底板の左前側円弧板部、５９…底板の左後側円弧板部、６１…台座部、６２…溝部、６３…水抜き孔、６５…底板の接地面。
【図１】
2004159874.tif 000003
【図２】
2004159874.tif 000004
【図３】
2004159874.tif 000005
【図４】
2004159874.tif 000006
【図５】
2004159874.tif 000007
【図６】
2004159874.tif 000008
【図７】
2004159874.tif 000009
【図８】
2004159874.tif 000010